(57)【要約】【課題】ハンドルの着脱操作が安定して行なえるハンドルの取り付け構造を備えた魚釣用リールを提供する。【解決手段】本発明の魚釣用リールは、釣糸が巻回保持されるスプールを支持するリール本体１と、リール本体１に設けられ、スプールに釣糸を巻き取るべく構成された巻き取り駆動機構５に連結される駆動軸６と、駆動軸６に嵌合するハンドル軸１２を備えたハンドル１０と、駆動軸６の表面部と圧接してハンドル軸１２を抜け止めする抜け止め係合部２０と、ハンドル１０に設けられ、抜け止め係合部２０の圧接状態を解除する操作部材２１とを有している。そして、操作部材２１の移動操作で駆動軸６に対してハンドル１０を取り外し可能としたことを特徴とする。【選択図】    図２
2007043991.tif 000002
【特許請求の範囲】
【請求項１】
釣糸が巻回保持されるスプールを支持するリール本体と、
前記リール本体に設けられ、前記スプールに釣糸を巻き取るべく構成された巻き取り駆動機構に連結される駆動軸と、
前記駆動軸に嵌合するハンドル軸を備えたハンドルと、
前記駆動軸の表面部と圧接してハンドル軸を抜け止めする抜け止め係合部と、
前記ハンドルに設けられ、前記抜け止め係合部の圧接状態を解除する操作部材と、
を有しており、
前記操作部材の移動操作で前記駆動軸に対してハンドルを取り外し可能としたことを特徴とする魚釣用リール。
【請求項２】
前記抜け止め係合部は、付勢力によって前記ハンドル軸と係合して前記駆動軸の表面部に圧接しており、前記操作部材を付勢力に抗して移動操作することで、前記駆動軸との圧接状態が解除されることを特徴とする請求項１に記載の魚釣用リール。
【請求項３】
前記抜け止め係合部、及び駆動軸は、断面多角形状であることを特徴とする請求項１又は２に記載の魚釣用リール。
【発明の詳細な説明】
【技術分野】
【０００１】
本発明は、魚釣用リールに関し、詳細には、釣糸を巻き取る際に回転操作されるハンドルの取り付け構造に特徴を有する魚釣用リールに関する。
【背景技術】
【０００２】
一般に、スピニングリールに代表される魚釣用リールは、リール本体と、リール本体に取り付けられ、かつ釣糸が巻回されるスプールとを備えている。前記リール本体には、前記スプールに釣糸を巻き取るために操作されるハンドルが回転可能に支持されている。そして、このハンドルは、通常、釣人が握持する摘み部と、リール本体の巻き取り駆動機構の一部である駆動歯車に連結されるハンドル軸と、このハンドル軸と摘み部を繋ぐハンドル本体とによって構成されている。
【０００３】
従来、この種の魚釣用リールは、ハンドル軸の端部に軸心方向に延びる螺子孔を形成しておき、前記ハンドル軸をリール本体に設けられた駆動軸の一方側から挿入嵌合し、他方向から前記螺子孔に止めビスを螺着して、前記駆動軸にハンドルを取り付けるようにしている。そして、このような構成では、止めビスを外すことで、ハンドルを駆動軸の前記他方向側からも挿入嵌合することが可能となっており、前記駆動軸の一方側から止めビスを螺着することで、リール本体に対してハンドルを組み替えることが可能となっている。
【０００４】
従来の魚釣用リールでは、ハンドルを組み替える際、上記したように螺着された止めビスを取り外してから組み替え作業を行なわなければならず、その取り外しが困難で手間を要し、かつ止めビスを落としたり紛失し易いという問題があった。
【０００５】
そこで、止めビスを用いることなく、ハンドルをリール本体にワンタッチ操作で取り付け可能にしたハンドルの取り付け構造が特許文献１に開示されている。この特許文献１に開示されているハンドルの取り付け構造は、ハンドルに装着したボタン（突出方向に付勢されている）を押し込むことで、そのボタンの筒部先端で駆動軸の端部外周に設けた係止片を径方向内方に押し込み、これによって、ハンドルの外周筒部の端部に形成した係合部（段部）と係止片との係止状態を解除し、ハンドルの取り外しを可能としている。
【特許文献１】実公昭５７−１０５２８号
【発明の開示】
【発明が解決しようとする課題】
【０００６】
ところが、上記したような従来技術の構成では、径方向に弾性変形する係止片が劣化して破損し易く、更には、環境条件（熱）や外部の力（落下による衝撃等）によって変形し易いという問題がある。また、ハンドルの外周筒部の端部に形成した係合部にゴミ等が付着、侵入し易く、この結果、ハンドルの着脱操作が安定して確実に行なえなくなる、等の問題がある。
【０００７】
本発明は、上記した問題に基づいてなされたものであり、ハンドルの着脱操作が安定して行なえるハンドルの取り付け構造を備えた魚釣用リールを提供することを目的とする。
【課題を解決するための手段】
【０００８】
上記した目的を達成するために、本発明に係る魚釣用リールは、釣糸が巻回保持されるスプールを支持するリール本体と、前記リール本体に設けられ、前記スプールに釣糸を巻き取るべく構成された巻き取り駆動機構に連結される駆動軸と、前記駆動軸に嵌合するハンドル軸を備えたハンドルと、前記駆動軸の表面部と圧接してハンドル軸を抜け止めする抜け止め係合部と、前記ハンドルに設けられ、前記抜け止め係合部の圧接状態を解除する操作部材と、を有しており、前記操作部材の移動操作で前記駆動軸に対してハンドルを取り外し可能としたことを特徴とする。
【０００９】
上記した構成の魚釣用リールでは、ハンドルを取り替える際、ハンドルに設けられた操作部材を移動操作する。この移動操作に伴って、駆動軸の表面部に対する抜け止め係合部の圧接状態が解除され、ハンドル軸は、駆動軸に対して取り外し可能な状態となる。この場合、ハンドル軸は、抜け止め係合部が駆動軸の表面部に対して圧接することで取り付け状態となり、従来のような弾性変形しながら係合状態を維持するような係合片を用いることは無いので、ハンドルの着脱操作が安定して行なえるようになる。なお、ここでの駆動軸の表面部には、駆動軸が円筒状の場合、その内周面部及び外周面部が含まれ、駆動軸が中実状の場合、その外周面部が該当する。
【発明の効果】
【００１０】
本発明によれば、ハンドルの着脱操作が安定して行なえるハンドルの取り付け構造を備えた魚釣用リールが得られる。
【発明を実施するための最良の形態】
【００１１】
図１から図５は、本発明の第１の実施形態を示す図であり、図１は、スピニングリールの全体構成を示す図、図２は、図１のＡ−Ａ線に沿った部分断面図、図３は、図２の要部拡大図、図４は、図３において、操作部材を押し込んだ状態を示す図、そして、図５（ａ）は、図３のＢ−Ｂ線に沿った断面図、図５（ｂ）は、図３のＣ−Ｃ線に沿った断面図である。
【００１２】
スピニングリールのリール本体１には、釣竿に装着されるリール脚１ａが一体形成されており、その前方には回転可能に支持されたロータ２と、ロータ２の回転運動と同期して前後動可能に支持され、釣糸が巻回保持されるスプール３が配設されている。
【００１３】
リール本体１内には、上記したロータ２を回転駆動すると共に、スプール３を前後往復動させるための公知の巻き取り駆動機構５が配設されている。この巻き取り駆動機構５には、スプール３の支軸に対して直交する方向に延出し、一対の軸受を介して回転可能に支持された駆動軸６が連結されており、その駆動軸６の一端側には、巻き取り駆動機構５の一部を構成する駆動歯車（フェースギヤ）７が装着されている。
【００１４】
この場合、駆動歯車７は、駆動軸６と共に一体的に形成されていても良く、或いは別体として形成され、駆動軸６に対して一体回転可能に装着されていても良い。また、駆動軸６は、中空状（円筒状）に形成されており、その両端部は、開口した状態となっている。なお、駆動軸６の一方の端部側には、以下に説明するハンドル取り付け構造によってハンドル１０が着脱可能に装着されており、ハンドル１０が装着されない側の駆動軸６の端部は、リール本体１に対応して形成される開口部分にキャップ部材８を被着することで閉塞された状態になる。すなわち、ハンドル取り付け構造によって、リール本体１の左右いずれにもハンドル１０が装着可能となっている。
【００１５】
本実施形態におけるハンドル１０は、巻き取り駆動機構５の一部である駆動歯車７を回転駆動すべく駆動軸６に連結されるハンドル軸１２と、このハンドル軸１２を有するハンドル本体１３と、ハンドル本体１３に取り付けられ、釣人が握持する摘み部１５とを備えている。前記ハンドル本体１３は、ハンドル軸１２と一体回転するよう構成されており、リール本体１からハンドル軸方向に沿って外方に突出するハンドルスタンド１３ａと、このハンドルスタンド１３ａの突出端に径方向外方に向けて設けられるアーム１３ｂとを備えており、前記摘み部１５は、アーム１３ｂの先端部分に回転可能に設けられている。
【００１６】
なお、前記ハンドル軸１２は、ハンドルスタンド１３ａに嵌合固定されると共に、円筒状に構成されている。また、アーム１３ｂは、公知の折り畳み機構によって、ハンドルスタンド１３ａに対して折り畳みできるように構成されていても良い。
【００１７】
前記ハンドル１０は、ハンドル取り付け構造１７によって、駆動軸６に対して着脱可能に構成されている。本実施形態では、上記した中空状の駆動軸６の内部に、ハンドル軸１２が、軸方向から嵌合されるようになっており、ハンドル取り付け構造１７は、駆動軸６の表面部（内周面部６ａ）に圧接してハンドル軸１２の抜け止めを果たす抜け止め係合部２０と、この抜け止め係合部２０を駆動する操作部材２１とを備えている。
【００１８】
前記抜け止め係合部２０は、摺動軸２２の先端部に止め輪２２ａによってガタ付くことなく保持されると共に、前記ハンドル軸１２の端縁１２ａと係合されている。この場合、摺動軸２２は、図５（ｂ）に示すように、前記中空状のハンドル軸１２の内周１２ｂとの間に隙間（遊度）を持たせてハンドル軸１２の内部に挿通されており、その先端側は、ハンドルスタンド１３ａの端部から突出した状態となっている。そして、その突出端には、ハンドルスタンド１３ａの内部に形成された凹所１３ｄの底部との間に付勢バネ２５を介在させて、前記操作部材２１が取着されており、これにより、操作部材２１を付勢バネ２５の付勢力に抗して軸方向に押圧操作することで、摺動軸２２はそのまま押し込まれ、抜け止め係合部２０は、ハンドル軸１２の端部１２ａから離反するようになっている。
【００１９】
上記した抜け止め係合部２０とハンドル軸１２とは、その係合面同士（ハンドル軸１２の端縁１２ａ及び抜け止め係合部２０の端面２０ａ）が、図３及び図４に示すように、軸方向に対して傾斜する状態で面接している。すなわち、このような両者の係合関係によれば、抜け止め係合部２０が付勢バネ２５の付勢力によって、ハンドル軸１２の端縁１２ａに当て付けられると、その傾斜面によって径方向に強制的にシフトされ、駆動軸１２の内周面部６ａ（表面部）に圧接されるようになる。
【００２０】
本実施形態では、抜け止め係合部２０及び駆動軸６の断面形状は、共に、図５（ａ）に示すように、多角形状（６角形状）に形成されており、抜け止め係合部２０が多少の遊度を持って駆動軸６の内部に位置した状態にある。そして、抜け止め係合部２０及び駆動軸６の上記した傾斜面の係合関係によって、抜け止め係合部２０の下側の面２０ｂ，２０ｃが駆動軸６の内周面部６ａに圧接することで、ハンドル軸１２は駆動軸６に対して抜け止め保持された状態となっている。
【００２１】
上記したハンドルの取り付け構造１７では、抜け止め係合部２０は、摺動軸２２に作用する付勢バネ２５の付勢力によって、軸方向外方に、常時付勢力が作用した状態となっている。この状態では、抜け止め係合部２０及び駆動軸６の傾斜面の係合関係によって、抜け止め係合部２０は径方向外方に移動して、その下側の面（外面）２０ｂ，２０ｃが駆動軸６の内周面部６ａに圧接し、ハンドル軸１２は駆動軸６に対して抜け止め保持された状態となっている。
【００２２】
そして、ハンドル１０を取り外す場合、図４に示すように、操作部材２１を付勢バネ２５の付勢力に抗して軸方向に押圧操作することで、摺動軸２２はそのまま押し込まれ、抜け止め係合部２０はハンドル軸１２の端部１２ａから離反する。このとき、抜け止め係合部２０と駆動軸６の傾斜面による係合状態が解除され、抜け止め係合部２０の外面２０ｂ，２０ｃと駆動軸６の内周面部６ａとの圧接係合状態が解除され、ハンドル軸１２は駆動軸６から容易に取り外すことが可能となる。
【００２３】
以上のような抜け止め係合部２０の構成によれば、ハンドル軸１２の内周面部に圧接してハンドル１０の抜け止めを果たすことから、上述した特許文献１に見られるような弾性変形する係合片のように、劣化したり破損等することがなく、ハンドルの着脱操作が安定して行なえるようになる。また、筒状部の内側に段部を設けて係合させる構成でもないので、ハンドル軸の内部に異物が侵入したり付着することが防止され、ハンドルの組み替え作業を安定して確実に、かつ迅速に行なうことができるようになる。
【００２４】
また、抜け止め係合部２０は、付勢バネ２５の付勢力によってハンドル軸１２と係合して駆動軸６の内周面部６ａに圧接しており、単に、操作部材２１を軸方向に沿って押圧操作することで圧接状態が解除されるようになっていることから、簡単な部品構成でハンドルの着脱作業を容易に行なうことができる。特に、抜け止め係合部２０や操作部材２１は、ハンドル軸１２と同軸上に配設されていることから、ハンドル取り付け構造の構成がより簡略化される。
【００２５】
さらに、抜け止め係合部２０と駆動軸６とは、断面多角形状に構成されており、多角面同士で両者の圧接状態が維持されることから、回転方向の抵抗が大きくなり、ハンドル１０の巻き取り駆動力を、効率良く駆動軸６に伝達することが可能になる。
【００２６】
上述したようなハンドルの取り付け構造１７は、図６に示すように、両軸受型リールのハンドル１０Ａの部分にも適用することが可能である。すなわち、このような構成では、釣糸が巻回保持されるスプール３Ａを回転駆動する巻き取り駆動機構５Ａに連結される円筒状の駆動軸６Ａの内部にハンドル軸１２Ａを嵌合させ、かつこのハンドル軸１２Ａの端部に、抜け止め係合部２０Ａを装着しておけば良い。
【００２７】
抜け止め係合部２０Ａは、摺動軸２２Ａの突出端に装着される操作部材２１Ａを、付勢バネ２５Ａの付勢力に抗して押し込み操作することで、駆動軸６Ａとの圧接状態が解除され、ハンドル１０Ａは、駆動軸６Ａから取り外すことが可能となっている。
【００２８】
このように、本発明は、両軸受型リールにも適用でき、それ以外にも、片軸受リールや覆面リールにも適用することが可能である。
【００２９】
以上、本発明の実施の形態について説明したが、本発明は、上記した実施形態の構成に限定されることはなく、種々変形することが可能である。例えば、抜け止め係合部２０と駆動軸６の断面形状は、多角形状でなく、円形状や非円形状にする等、適宜変形することが可能である。また、抜け止め係合部２０と駆動軸６を圧接させる方法、及びその圧接を解除する操作部材２１の構成や設置位置についても適宜変形することが可能である。さらに、抜け止め係合部２０は、駆動軸の外周面部（表面部）に圧接するような構成であっても良い。
【図面の簡単な説明】
【００３０】
【図１】本発明の第１の実施形態を示す図であり、スピニングリールの全体構成を示す図。
【図２】図１のＡ−Ａ線に沿った部分断面図。
【図３】図２の要部拡大図。
【図４】図３において、操作部材を押し込んだ状態を示す図。
【図５】（ａ）は、図３のＢ−Ｂ線に沿った断面図、（ｂ）は、図３のＣ−Ｃ線に沿った断面図。
【図６】本発明の第２の実施形態を示す図であり、両軸受型リールの全体構成を示す図。
【符号の説明】
【００３１】
１  リール本体
３，３Ａ  スプール
５，５Ａ  巻き取り駆動機構
６，６Ａ  駆動軸
１０，１０Ａ  ハンドル
１２，１２Ａ  ハンドル軸
１７  ハンドル取り付け構造
２０，２０Ａ  抜け止め係合部
２１，２１Ａ  操作部材
【図１】
2007043991.tif 000003
【図２】
2007043991.tif 000004
【図３】
2007043991.tif 000005
【図４】
2007043991.tif 000006
【図５】
2007043991.tif 000007
【図６】
2007043991.tif 000008